(57)【要約】【課題】複写防止機能や偽造防止機能を備えた偽造防止媒体であって、この偽造防止媒体と同一の複写物を作成することを困難とすると共に、たとえコピーやスキャナーによるスキャニングを利用して複写物を作成しても、複製元が有している複写防止機能や偽造防止機能までは具備できないようにした偽造防止媒体を提供する。【解決手段】複数の網点からなる網点潜像部と複数の網点からなる網点背景部とで構成されている網点状光吸収層が、網点潜像部と網点背景部とが目視で区別できない状態で設けられていると共に、その網点状光吸収層の上部には光学的に透明で、所定波長の光を選択的に反射する選択的光反射層が配置されていることを特徴とする偽造防止媒体。【選択図】図１
2011183635.tif 000002
【特許請求の範囲】
【請求項１】
複数の網点からなる網点潜像部と複数の網点からなる網点背景部とで構成されている網点状光吸収層が、網点潜像部と網点背景部とが目視で区別できない状態で設けられていると共に、その網点状光吸収層の上部には光学的に透明で、所定波長の光を選択的に反射する選択的光反射層が配置されていることを特徴とする偽造防止媒体。
【請求項２】
前記網点潜像部を構成する複数の網点と前記網点背景部を構成する複数の網点は、それらの網点角度かピッチのいずれかが異なっていることを特徴とする請求項１記載の偽造防止媒体。
【請求項３】
前記網点状光吸収層は、光学的に透明な基材の一方の面に設けられていると共に、基材のもう一方の面には、その網点光状吸収層を覆うように選択的光反射層が設けられていることを特徴とする請求項１または２記載の偽造防止媒体。
【請求項４】
前記網点状光吸収層が、光学的に透明な基材の一方の面に設けられていると共に、その網点状光吸収層の上には選択的光反射層がさらに設けられていることを特徴とする請求項１または２記載の偽造防止媒体。
【請求項５】
前記選択的光反射層は、高虹彩性多層薄膜か、光干渉性顔料、コレステリック液晶顔料、またはコレステリック液晶のいずれかを含有する薄膜のいずれかからなるものであることを特徴とする請求項１から４のいずれかに記載の偽造防止媒体。
【請求項６】
前記選択的光反射層が設けられている面とは逆側の面に粘着層が設けられていることを特徴とする請求項１から５のいずれかに記載の偽造防止媒体。
【発明の詳細な説明】
【技術分野】
【０００１】
本発明は、隠し文字や隠しパターン等の潜像が視認不可能な状態で潜在化されていて、顕像化シートを介して観察すると潜像が視認できるようにした偽造防止媒体に関する。
【背景技術】
【０００２】
従来から銀行券、商品券、パスポート等の有価証券類には、偽造防止対策の一つとして、その一部に偽造が困難な媒体を貼り付けたり、内在させておくことがある。そして、そのような偽造防止対策が施された偽造防止媒体の真偽の判定は、目視または検証機によって行っている。
【０００３】
しかし、目視によって真偽の判定が行なえるようになっている偽造防止媒体は、施されている偽造防止に係る技術情報が目視によって比較的容易に知られてしまうため、知り得た偽造防止技術情報に基づいて偽造物が複製され易いという欠点がある。
【０００４】
これに対して、微細な多数の平行線群からなる万線潜像の周辺を微細な多数の平行線群からなる万線背景パターンで囲い、万線潜像を目視不可能な状態で潜在化させておき、透明フィルムに微細な多数の平行線状の万線が規則的に施されている顕在化シートを介して観察することにより、万線潜像が視認できるようにした、「万線モアレ」を応用した偽造防止媒体が提案されている。また、二つ以上の万線潜像を潜在化しておき、一つの顕在化シートで二つ以上の万線潜像を視認できるように工夫されたものも提案されている（例えば、特許文献１参照。）。
【０００５】
しかしながら、このような偽造防止媒体は、そこに施されている偽造防止技術が目視で確認しづらいものの、そこに設けられている万線潜像やその周辺の万線背景パターンは所謂印刷パターンであるため、コピーやスキャナーを利用して複写物を作成した場合、複写物上でも同じように再現されてしまい、得られた複写物も複写元と同じような偽造防止機能を有してしまうことになる。
【０００６】
本発明は、複写防止機能や偽造防止機能を備えた偽造防止媒体であって、この偽造防止媒体と同一の複写物を作成することを困難とすると共に、真偽判定を容易にし、たとえコピーやスキャナーによるスキャニングを利用して複写物を作成しても、複製元が有している複写防止機能や偽造防止機能までもは保持できないようにした偽造防止媒体を提供する。
【先行技術文献】
【特許文献】
【０００７】
【特許文献１】特表２００１−２１３０４２号公報
【発明の概要】
【発明が解決しようとする課題】
【０００８】
本発明は、上記の問題点を解決課題とするものであり、複写防止機能や偽造防止機能を備えた偽造防止媒体であって、この偽造防止媒体と同一の複写物を作成することを困難とすると共に、真偽判定を容易にし、たとえコピーやスキャナーによるスキャニングを利用して複写物が得られたとしても、複製元が有している複写防止機能や偽造防止機能までもは保持できないようにした偽造防止媒体を提供することを目的とする。
【課題を解決するための手段】
【０００９】
上記した課題を解決するためになされ、請求項１記載の発明は、複数の網点からなる網点潜像部と複数の網点からなる網点背景部とで構成されている網点状光吸収層が、網点潜像部と網点背景部とが目視で区別できない状態で設けられていると共に、その網点状光吸収層の上部には光学的に透明で、所定波長の光を選択的に反射する選択的光反射層が配置されていることを特徴とする偽造防止媒体である。
【００１０】
また、請求項２記載の発明は、請求項１記載の偽造防止媒体において、前記網点潜像部を構成する複数の網点と前記網点背景部を構成する複数の網点は、それらの網点角度かピッチのいずれかが異なっていることを特徴とする。
【００１１】
さらにまた、請求項３記載の発明は、請求項１または２記載の偽造防止媒体において、前記網点状光吸収層は、光学的に透明な基材の一方の面に設けられていると共に、基材のもう一方の面には、その網点状光吸収層を覆うように選択的光反射層が設けられていることを特徴とする。
【００１２】
さらにまた、請求項４記載の発明は、請求項１または２記載の偽造防止媒体において、前記網点状光吸収層が、光学的に透明な基材の一方の面に設けられていると共に、その網点状光吸収層の上には選択的光反射層がさらに設けられていることを特徴とする。
【００１３】
さらにまた、請求項５記載の発明は、請求項１から４のいずれかに記載の偽造防止媒体において、前記選択的光反射層は、高虹彩性多層薄膜か、光干渉性顔料、コレステリック液晶顔料、またはコレステリック液晶のいずれかを含有する薄膜のいずれかからなるものであることを特徴とする。
【００１４】
さらにまた、請求項６記載の発明は、請求項１から５のいずれかに記載の偽造防止媒体において、前記選択的光反射層が設けられている面とは逆側の面に粘着層が設けられていることを特徴とする。
【発明の効果】
【００１５】
本発明の偽造防止媒体は、複数の網点からなる網点潜像部と複数の網点背景部とで網点状光吸収層が構成され、その網点潜像部と網点背景部は目視では区別できないような状態で設けられていて、顕像化シートを重ねると、潜在化されていた網点潜像が顕像化し、その内容が視認できる。したがって、顕像化シートによる網点潜像の顕像化と顕像化された網点潜像の内容を検証することにより、真偽の判定が可能となる。
さらに、観察者側に位置するように設けられている選択的光反射層においては、光の一部を透過し、それ以外は反射する。選択的光反射層を透過した光は下部に位置する網点状光吸収層に吸収され、選択的光反射層で反射した光は観察者に所定の色相で観察されるようになるので、潜在化されていた網点潜像が所定の色相で視認可能となる。
また、本発明の偽造防止媒体は、たとえカラーコピー機やカラースキャナー等を利用して似たようなものが複製されたとしても、上述したような効果を奏することはない。
【図面の簡単な説明】
【００１６】
【図１】本発明の偽造防止媒体の概略の断面構成を示す説明図である。
【図２】本発明の他の偽造防止媒体の概略の断面構成を示す説明図である。
【図３】本発明のさらに他の偽造防止媒体の概略の断面構成を示す説明図である。
【図４】本発明の偽造防止媒体がその一部に貼り付けられている有価証券の断面状態を示す説明図である。
【図５】本発明の偽造防止媒体がその一部に貼り付けられている有価証券の平面状態を示す説明図である。
【図６】本発明の偽造防止媒体上に顕像化シートを重ね合わせ、潜像を顕像化しているときの様子を示す説明図である。
【図７】網点潜像部を構成する複数の網点における網点角度、ピッチ及び位相の関係を示す説明図である。
【図８】網点状光吸収層の構成と、網点状光吸収層を構成する網点潜像部と網点背景部を示す説明図である。
【発明を実施するための形態】
【００１７】
以下、本発明の偽造防止媒体を、図面を参照して詳細に説明する。
【００１８】
本発明の偽造防止媒体は、図１にその一例を示すように、複数の網点からなる網点潜像部２と複数の網点からなる網点背景部３とで構成されている網点状光吸収層４が、網点潜像部２と網点背景部３とが目視で区別できない状態で設けられていると共に、その網点状光吸収層４の上部には光学的に透明で、所定波長の光を選択的に反射する選択的光反射層５が配置されている。図１の偽造防止媒体は網点状光吸収層４を覆うように粘着層７がさらに設けられている。
【００１９】
一方、図２と図３には、本発明の他の実施形態に係る偽造防止媒体が示してある。図２に示す偽造防止媒体は、複数の網点からなる網点潜像部２２と複数の網点からなる網点背景部２３とで構成されている網点状光吸収層２４が、光学的に透明な基材２６の一方の面に設けられていると共に、基材２６のもう一方の面には、その網点状光吸収層２４の上部に選択的光反射層２５が位置するように設けられている。網点状光吸収層２４の上には粘着層２７が積層して設けられている。
【００２０】
また、図３に示す偽造防止媒体は、複数の網点からなる網点潜像部３２と複数の網点からなる網点背景部３３とで構成されている網点状光吸収層３４が、光学的に透明な基材３６の一方の面に設けられていると共に、その網点状光吸収層３４の上には選択的光反射層３５が積層して設けられている。また、基材３６のもう一方の面には粘着層３７が積層して設けられている。
【００２１】
さらに、図４には、複数の網点からなる網点潜像部４２と複数の網点からなる網点背景部４３とで構成されている網点状光吸収層４４が、光学的に透明な基材４６の一方の面に設けられていると共に、基材４６のもう一方の面には、その網点状光吸収層４４の上部に位置するように選択的光反射層４５が設けられ、網点状光吸収層４４の上には粘着層４７が積層して設けられてなる偽造防止媒体が有価証券４９の一部に貼り付けられている状態の断面構成が示してある。
【００２２】
図２、図３、図４に示す偽造防止媒体は、その選択的光反射層が、例えばコレステリック液晶を含有する薄膜で構成されていると、下部に網点状光吸収層がない箇所では若干の反射色が観察されるが概ね無色を呈するようになる。一方、下部に網点状光吸収層のある箇所では、そこを透過した光はその下部の網点状光吸収層の部分で吸収されると共に、そこでは所定の反射色の光が観察される。従って、後述するような顕像化シートを介して観察すると、その反射色で網点潜像が視認されるようになる。
【００２３】
以下、このように作用する選択的光反射層を構成するコレステリック液晶について詳しく説明する。
【００２４】
螺旋軸が右及び左のコレステリック液晶は、キラル相を有する三次元架橋性液晶物質を配向させ、三次元架橋させることで得られる。コレステリック液晶の部分で反射した光は円偏光である。液晶物質の中でもコレステリック液晶はねじれ構造を有し、そのねじれ軸（螺旋軸）に沿って光の屈折率が周期的に変動するため、そのねじれ構造のピッチに等し
い波長の光を選択的に反射する。従って、ねじれ構造のピッチを温度、及びまたはカイラル剤を用いて制御することで所望の反射色を作り出すことが可能である。また、ねじれ構造を有するコレステリック液晶は、各分子が層を成して配置されており、層中で均一に配列されることで初めてその光学的特性を示すようになる。
そして、分子は層毎にその配列方向を変えるのでねじれ構造が生じる。各分子の配向は、例えば配向層または電解または磁界によって制御できる。また、分子の配向は、例えばキラル相を有する三次元架橋性液晶と多官能性重合化合物を組合せてなるコレステリック高分子液晶材料により薄膜を形成し、しかる後にこの薄膜に紫外線を照射することで三次元架橋させて固定化すればよい。
【００２５】
コレステリック高分子液晶の出発物質としては、紫外線から赤外線の光の波長に対して等しいピッチのねじれ構造を有する全てのコレステリック液晶物質が利用できる。
キラル相を有する液晶物質はネマチック構造やスメクチック構造をとる液晶にキラル物質を加えることで製造できる。キラル物質の種類及び分子量がねじれ構造の向きやピッチ、延いては反射光の波長を決定する。さらにネマチック構造やスメクチック構造中に不整炭素を持つ液晶であればキラル物質の添加無しにねじれ構造をとらせることも可能である。キラル物質の添加、無添加に関わらず、ねじれ構造のピッチを変更させるには温度の変更が有効である。ただし、ピッチは温度が低いと長くなり、温度が高いと短くなるため、温度が低すぎる場合には反射光は赤外線領域の光となり、高いと分子による吸収を除けば紫外線領域の光となり、さらには等方層となり液晶性を示さなくなる点があるため、偽造防止にとって必要な反射光が得られるように適切な温度管理をする必要がある。
【００２６】
また、コレステリック液晶物質と組み合わせて用いる、重縮合性基または重付加に有効な基を有するエネルギー線硬化性化合物としては、特に分子中に２個ないしそれ以上のエネルギー線硬化性基を有する単量体、オリゴマーを含有するものが好ましく用いられる。例えば、ラジカル系光重合性単量体としては、トリメチロールプロパントリアクリレート、１，６−ヘキサンジオールジアクリレート、ペンタエリスリトールテトラアクリレート、ペンタエリスリトールトリアクリレート、ジペンタエリスリトールヘキサアクリレート等の多官能性単量体、ポリウレタンポリアクリレート、エポキシ樹脂系ポリアクリレート、アクリルポリオールポリアクリレート等の他官能性オリゴマー類を挙げることができる。一官能性の単量体としては、アルキル（Ｃ１〜Ｃ１８）（メタ）アクリレート、ベンジル（メタ）アクリレート、シクロヘキシル（メタ）アクリレート、アルキレン（Ｃ２〜Ｃ４）グリコール（メタ）アクリレート、アルコキシ（Ｃ１〜Ｃ１０）アルキル（Ｃ２〜Ｃ４）（メタ）アクリレート、ポリアルキレン（Ｃ２〜Ｃ４）グリコール（メタ）アクリレート、アルコキシ（Ｃ２〜Ｃ１０）ポリアルキレン（Ｃ２〜Ｃ４）グリコール（メタ）アクリレート等を挙げることができる。また、カチオン系光重合性単量体としては、芳香族エポキシ化合物、脂環式エポキシ化合物、グリシジルエステル系化合物が挙げられる。３次元架橋性液晶ポリオルガノシロキサンも好ましく用いられる。
【００２７】
また、エネルギー線硬化を起こすための光重合開始剤としては、ラジカル系光重合開始剤である、α−ヒドロキシアセトフェノン系、α−アミノアセトフェノン系等のアセトフェノン系、ベンゾインエーテル系、ベンジルケタール系、α−ジカルボニル系、α−アシルオキシムエステル系等の光重合開始剤が使用される。より具体的にはα−アミノアセトフェノン、アセトフェノンジエチルケタール、ベンジルジメチルケタール、α−ヒドロキシシクロヘキシルフェニルケトン、２−ヒドロキシ−２−メチルフェニルプロパノン、ベンゾフェノン、ミヒラーズケトン、イソプロピルチオキサントン、ベンゾフェノンとＮ−メチルジエタノールアミンとを併用したもの等が用いられる。また、カチオン系光重合開始剤も特に制限なく使用することができる。
【００２８】
選択的光反射層中には、公知の増感剤や過酸化物をさらに適宜含有させるようにしても
よい。例えば、アリルヨードニウム塩−α−ヒドロキシアセトフェノン系、トリアリルスルホニウム塩系、メタロセン化合物−パーオキサイド併用系、メタロセン化合物−チオキサントン併用系、メタロセン化合物−アントラセン併用系等の増感剤である。
【００２９】
コレステリック液晶を含有する選択的光反射層は、上述の如き材料を用いて調製した構成材料を使用し、コンマコーター、マイクログラビアコーターオフセット等公知のコーティングや印刷方法で膜厚０．５〜２０μｍ、好ましくは２〜１０μｍ程度となるよう基材上に塗布し、しかる後にメタルハライドランプ高圧水銀ランプ等の公知の活性エネルギー線照射装置から活性エネルギー線を照射して架橋させることで得られる。
より具体的には、３次元架橋性液晶ポリオルガノシロキサンと光重合開始剤の混合溶液を用いる場合には、この混合溶液を、金属基材、プラスチック基材またはガラス基材等の基材上に加温しながらドクターを用いてせん断力を加えて塗布し、液晶分子を配向させ、しかる後にその塗膜に紫外線を照射して三次元架橋させる方法を挙げることができる。
用いる基材としては、例えばポリイミドまたはポリビニルアルコールから成る配向層が設けられていてもよい。さらに、液晶分子の配向方法としては、２枚のシート間でせん断力を加えながら配向させる方法を採用することも可能である。
【００３０】
なお、架橋を速やかに進めるため、活性エネルギー線照射環境を不活性ガス不雰囲気にして酸素濃度を下げるようにしたり、架橋させる部分をポリエチレン等のフィルムで覆うことにより酸素阻害を回避させる方法を併用するようにしてもよい。
また、ある基材上に構築したコレステリック液晶を含有する選択的光反射層の光反射層面に接着剤を塗布し、必要に応じた形状で別の基材に転写し、そこにコレステリック液晶を含有する選択的光反射層を設けるようにしてもよい。
【００３１】
一方、選択的光反射層としては、その中にパール顔料を含有したものであってもよい。選択的光反射層中に含ませるパール顔料としては、可視光域の光を透過させ、屈折率が２．０以上程度の金属酸化物からなる薄膜を単層もしくは複層で雲母の表面に被覆したものが採用される。雲母に反射性（高虹彩反射）を与えるための金属酸化物としては、例えば、Ｓｂ２Ｓ３、Ｆｅ２Ｏ３、ＰｂＯ、ＺｎＳｅ、ＣｄＳ、Ｂｉ２Ｏ３、ＴｉＯ２、ＰｂＣｌ２、ＣｅＯ２、Ｔａ２Ｏ５、ＺｎＳ、ＺｎＯ、ＣｄＯ、Ｎｄ２Ｏ３、Ｓｂ２Ｏ３、ＳｉＯおよびＩｎＯ３等が挙げられる。
【００３２】
上述したような雲母と金属酸化膜が組み合わされてなるパール顔料は、雲母と金属酸化膜の屈折率の差が０．４より大きいことから、入射した白色光の反射量が多くなり、また同時に雲母と金属酸化膜の界面で、複屈折を起こすことから、高虹彩反射性となり、これを含む選択的光反射層の変色効果をより効果的にする。 
【００３３】
雲母を金属酸化膜で被覆する場合、金属酸化膜の膜厚を制御することで任意の色調の高虹彩反射性を有するパール顔料とすることができる。その膜厚は、１〜１０００ｎｍ、望ましくは２０〜２００ｎｍ程度の範囲のものとすることにより、可視光域の光に対して優れた高虹彩反射性を示すようになる。
【００３４】
このようなパール顔料を結着剤、分散剤および助剤等と混練させてインキ化し、得られたインキを用いて、グラビア印刷やスクリーン印刷等の各印刷方法により選択的光反射層を形成すればよい。インキ化に際しては、例えば上記パール顔料と蛍光顔料とをその配合比がおおよそ１：１〜３：１となるようにして含有させると共に、これらの顔料の含有割合を２０〜５０質量％程度とすることにより、より優れた高虹彩反射性を発現できるようになる。
【００３５】
また、選択的光反射層としては、例えば屈折率がおおよそ２以上の高屈折率材料からな
る薄膜と、屈折率が５程度の低屈折率材料からなる薄膜を所定の膜厚で積層したものであってもよい。積層材料としては、例えば、Ｓｂ２Ｏ３（３．０＝屈折率ｎ：以下同じ）、Ｆｅ２Ｏ３（２．７）、ＴｉＯ２（２．６）、ＣｄＳ（２．６）、ＣｅＯ２（２．３）、ＺｎＳ（２．３）、ＰｂＣｌ２（２．３）、ＣｄＯ（２．２）、Ｓｂ２Ｏ３（２．０）、ＷＯ３（２．０）、ＳｉＯ（２．０）、Ｓｉ２Ｏ３（２．５）、Ｉｎ２Ｏ３（２．０）、ＰｂＯ（２．６）、Ｔａ２Ｏ３（２．４）、ＺｎＯ（２．１）、ＺｒＯ２（２．０）、ＭｇＯ（１．６）、ＳｉＯ２（１．５）、ＭｇＦ２（１．４）、ＣｅＦ３（１．６）、ＣａＦ２（１．３〜１．４）、ＡｌＦ３（１．６）、Ａｌ２Ｏ３（１．６）、ＧａＯ（１．７）等のセラミックスが挙げられる。積層材料としては、Ａｌ、Ｆｅ、Ｍｇ、Ｚｎ、Ａｕ、Ａｇ、Ｃｒ、Ｎｉ、Ｃｕ、Ｓｉ等の金属またはこれらの合金であってもよい。さらにまた、低屈折率の有機ポリマー、例えばポリエチレン（１．５１）、ポリプロピレン（１．４９）、ポリテトラフロロエチレン（１．３５）、ポリメチルメタアクリレート（１．４９）、ポリスチレン（１．６０）等も用いることができる。これらの高屈折率材料もしくは３０％〜６０％程度の光透過性の金属薄膜より少なくとも一種、低屈折率材料の薄膜より少なくとも一種を選択し、所定の厚さで交互に積層させることにより、特定の波長の可視光に対して所定の吸収性あるいは反射性を示す選択的光反射層を得ることができる。
【００３６】
高屈折率材料と低屈折率材料を所定の膜厚で積層してなる選択的光反射層は、上記した各材料から屈折率、反射率、透過率等の光学特性や耐候性、耐薬品性、層間密着性等を考慮し、適宜のものを選択し、薄膜とし、それらを複数に積層して形成すればよい。
【００３７】
薄膜の形成方法は、公知の手法を用いることができ、膜厚、成膜速度、積層数、或いは光学膜厚（＝ｎ・ｄ、ｎ：屈折率、ｄ：膜厚）等の制御が可能な、通常の真空蒸着法、スパッタリング法等の物理的気相析出法や、ＣＶＤ法等の化学的気相析出法に係る薄膜形成方法を適宜用いることができる。
【００３８】
また、低屈折率有機ポリマーを利用して薄膜を成膜する方法としては、公知のグラビア印刷法、オフセット印刷法、スクリーン印刷法等の印刷方法や、バーコート法、グラビア法、ロールコート法等の塗布方法を用いることができる。
【００３９】
なお、高屈折率材料と低屈折率材料を所定の膜厚で積層してなる選択的光反射層の構成材料としては、上記したセラミックスや金属以外に、これらと同等、或いは類似する屈折率と反射率を有するものであれば、用いることが可能である。
【００４０】
このような選択的光反射層のより具体例な例としては、その層厚が５０〜２０００ｎｍの範囲にあり、例えばＺｎＳ、ＴｉＯ２、ＺｒＯ２、Ｉｎ２Ｏ３、ＳｎＯ、ＩＴＯ、ＣｅＯ２、ＺｎＯ、Ｔａ２Ｏ３、Ａｌ、Ｆｅ、Ｍｇ、Ｚｎ、Ａｕ、Ａｇ、Ｃｒ、Ｎｉ、Ｃｕ、Ｓｉ等の高屈折率材料からなる薄膜と、例えばＭｇＦ２、ＳｉＯ２、ＣａＦ２、ＭｇＯ、Ａｌ２Ｏ３等の低屈折率材料からなる薄膜とを交互に積層し、その積層数が２層以上、好ましくは２層〜９層としたものが挙げられる。
【００４１】
本発明の偽造防止媒体は、その一部を構成する選択的光反射層が、前述のように、ある基材の一方の面に積層されたものである以外に、光学的に透明で、所定波長の光を選択的に反射する虹彩性多層フィルムの単層であってもよい。
虹彩性多層フィルムは、屈折率の異なる２種類以上のプラスチック系薄膜を交互に積層したものである。このプラスチック系薄膜は、プラスチック材料を主体とし、これらに必要に応じて各種助剤等を添加してなるプラスチック系材料からなるものである。
【００４２】
上記のプラスチック系材料の主体となるプラスチック材料としては、高屈折率のプラスチック材料であるポリエチレンナフタレート（ＰＥＮ；１．６３＝屈折率ｎ：以下同じ）
、ポリカーボネート（ＰＣ；１．５９）、ポリスチレン（ＰＳｔ；１．５９）、ポリエチレンテレフタレート（ＰＥＴ；１．５８）等や、低屈折率のプラスチック材料であるナイロン（Ｎｙ；１．５３）、ポリメチルメタアクリレート（ＰＭＭＡ；１．４９）、ポリメチルペンテン（１．４６）、フッ素系ＰＭＭＡ（１．４）等を挙げることができる。虹彩性多層フィルムは、これらの高屈折率プラスチック材料の中から少なくとも一種、低屈折率プラスチック材料の中からから少なくとも一種を選択し、それぞれを所定の厚さの薄膜として交互に積層させることにより得ることができる。得られたフィルムは、特定の波長の可視光に対する所定の吸収性あるいは反射特性を示し、目視角度の変化に応じてカラーシフトが生じる。
【００４３】
一方、前述した選択性光反射層を設けるための基材としては、押出加工やキャスト加工により作製された無延伸フィルムや、延伸加工により作製された延伸フィルム等を用いることができる。延伸フィルムには、伸ばし方により、１軸延伸フィルム及び２軸延伸フィルムがあるが、両者とも使用できる。
【００４４】
これらの無延伸フィルム及び延伸フィルムの材料としては、セロハン、ポリカーボネート（ＰＣ）、ポリエチレン（ＰＥ）、ポリプロピレン（ＰＰ）、ポリオレフィン（ＰＯ）、エチレンビニルアルコール（ＥＶＯＨ）、ポリビニルアルコール（ＰＶＡ）、ポリ塩化ビニル、ポリエチレンナフタレート（ＰＥＮ）、ポリエチレンテレフタレート（ＰＥＴ）、ナイロン、アクリル樹脂、トリアセチルセルロース（ＴＡＣ）等が挙げられる。
図３に示すように、網点状光吸収層と選択的光反射層とが同一面上に設けられる場合には、不透明な基材、例えば紙も適宜使用可能である。
【００４５】
次に、網点状光吸収層に関して図を用いて詳細に説明する。
【００４６】
網点状光吸収層４、２４、３４、４４は、網点潜像部２、２２、３２、４２と網点背景部３、２３、３３、４３とが目視で区別できない状態で設けられていて、網点潜像部２、２２、３２、４２を形成する複数の網点と網点背景部３、２３、３３、４３を形成する複数の網点とは、網点の大きさ、網点角度、ピッチ及び位相のいずれか１つ以上が異なっている。
【００４７】
個々の網点の形状は、角ドット状、丸ドット状、網ドット状、格子ドット状、またはこれらの組み合わせによるドット状のものであればよい。
【００４８】
次に、網点潜像部と網点背景部を構成する複数の網点の網点角度、ピッチ及び位相について図７を用いて説明しておく。網点角度は図７（ａ）のθを指し、規則的に並んでいる複数の網点の傾きを表す。網点のピッチは図７（ａ）のＤを指し、１つの網点から隣の最近接している網点までの距離を表している。また、ピッチＤ内での網点部と非網点部の比率を網点比率と呼ぶ。
【００４９】
そして、網点の位相とは、図７（ｂ）のｋを指し、規則的に並んでいる複数の網点の周期を表している。図７（ｂ）では、網点Ａと網点Ｂは、位相がｇだけずれている状態を示している。
【００５０】
個々の網点の大きさは、小さすぎても大きすぎても、潜在化してある網点潜像を可視化するために顕像化用シートを重ねて観察しても網点潜像が視認しづらくなるので、１０〜１０００μｍの範囲、好ましくは１０〜５００μｍ程度に設定することが望ましい。また、網点比率（＝網点部／（網点部＋非網点部）は任意に設定してもよいが、１／１０〜９／１０の範囲で、好ましくは１／３〜２／３の範囲で設定することが望ましい。比率を１／２にすればさらに好ましい。よって、網点のピッチは２０〜２０００μｍ、好ましくは２０〜１０００μｍ程度の範囲に設定することが望ましい。
【００５１】
本発明の偽造防止媒体に顕像化シートを重ねて網点潜像を顕像化させるためには、前述したように、網点背景部と網点潜像部とで、それらを構成する網点の大きさ、網点角度、ピッチ及び位相のいずれか１つ以上を異なるようにすればよい。具体的な設定に当たっては、それぞれの違いが近似しすぎていると網点潜像が見えづらくなるので、考慮すべきである。
【００５２】
一方、図８（ａ）は、網点潜像部と網点背景部、並びにこれらが組み合わされてなる網点状光吸収層の平面状態を示している。図８（ｂ）は網点背景部のみを、図８（ｃ）は網点潜像部のみを切り出して示している。ただし、図８においては、説明のために、網点を大きくし、ピッチも広くしている。
【００５３】
図８に示す網点状光吸収層は、網点潜像部と網点背景部を形成する複数の網点が、同一ピッチ及び同一網点比率となっていて、網点角度だけが異なるように配置されている。図示の例では、網点潜像部と網点背景部の複数の網点の網点角度は３０°異なるために、顕像化シートを介して観察した場合、０°方向と３０°方向のそれぞれで潜像パターンのネガポジ像が反転した状態で現れることになる。
【００５４】
顕像化シートとしては、例えば、網点背景部若しくは網点潜像部を形成する複数の網点のピッチ及び網点比率と同じピッチ及び網点比率からなる複数の網点が規則的に配列されてなるものが使用できる。複数の網点は、透明性を有するシート状の基材に公知の印刷方法により設ければよい。この際、材料等は特に限定しない。この顕像化シートは、前記したような複数の網点が規則的に配列されたもの以外に、網点背景部若しくは網点潜像部を形成する網点のピッチ及び網点比率と同じ万線比率（＝万線部／（万線部＋非万線部））の複数の万線または格子が規則的に設けられたものであってもよい。
【００５５】
また、本発明の偽造防止媒体においては、顕像化シートを重ねる位置または角度を変えて観察した時に複数の網点潜像が顕像化するような構成のものとすることも可能である。複数の網点潜像部は、完全に独立した領域に形成されていても良いし、網点の特性を活かして、それぞれの網点潜像部をその一部が少なくとも重なるように設け、同一箇所で複数の網点潜像をそれぞれ顕像化させることも可能である。
【００５６】
このような構成のものとすることにより、潜在化されている網点潜像の顕像化に際しては、個々の網点潜像を可視化させるための複数の顕像化シートを用意しなければならず、たとえ潜像の存在に気づいたとしても、複数の全ての網点潜像を視認できるようにする顕像化シートを用意し、その内容を検証することは非常に難しくなり、偽造防止の効果を一段と向上させることができるようになる。
【実施例１】
【００５７】
二軸延伸ポリエステルフィルム（ルミラー２５Ｔ６０；東レ社製）を基材とし、その上に、スクリーン印刷にて墨インキ（ＳＳ  ＮＳＡ  ９１１墨；東洋インキ製造社製）を用いて、図８に示すような構成の網点状光吸収層を設けた。この網点状光吸収層は、複数の網点からなる網点パターン（網点潜像部）と、それを構成する複数の網点と同じ網点比率及びピッチで網点角度が３０度異なる複数の網点からなる網点パターン（網点背景部）の２つの部分から構成されたものである。
【００５８】
次に、基材の網点状光吸収層を設けなかった面に、下記組成のインキを用いてグラビア印刷法により薄膜を形成した後、８０℃で１分の乾燥を行ない、しかる後に、高圧水銀灯にて５００ｍｊの照射を行って塗膜を硬化させ、選択的光吸収層（膜厚；５μｍ）を設け
た。
【００５９】
［インキの組成］
ネマチック液晶（パリオカラー  ＬＣ２４２  ＢＡＳＦ（株）製）      ３０重量部
カイラル剤    （パリオカラー  ＬＣ７５６  ＢＡＳＦ（株）製）    １．５重量部
重合開始剤    （イルガキュア１８４    チバガイギー（株）製）    １．５重量部
溶    剤      （メチルエチルケトン）                              ６７重量部
【００６０】
このようにして得られた偽造防止媒体に、その網点状光吸収層の網点潜像部を構成する複数の網点と同じ網点比率で同じピッチの複数の網点が規則的に配列されている顕像化用シートを、０°方向に重ねると、図３（ａ）のように網点背景部が黒色に視認された。また、顕像化シートを３０°回転させて重ねると、図３（ｂ）のように網点潜像部が黒色に視認された。
【００６１】
このように、本発明の偽造防止媒体は、顕像化シートを重ねることにより、網点状光吸収層中に潜在化されている網点潜像を顕像化させることができることが分かった。
【００６２】
また、偽造防止媒体を正面から見ると、網点状光吸収層が形成されている部分においてはその複数の網点の部分が緑色の反射色を示し、傾けると青色の反射色を示した。
【００６３】
また、偽造防止媒体を複写機によりカラーコピーを行なったところ、複写物には複写元の偽造防止媒体の色変化は起きず、複写物であることが容易に判別可能であることが分かった。
【符号の説明】
【００６４】
２、２２、３２、４２・・・網点潜像部
３、２３、３３、４３・・・網点背景部
４、２４、３４、４４・・・網点状光吸収層
５、２５、３５、４５・・・選択的光反射層
７、２７、３７、４７・・・粘着層
３６、４６・・・基材
４９・・・有価証券
５０・・・偽造防止媒体
６０・・・顕像化シート
【図１】
2011183635.tif 000003
【図２】
2011183635.tif 000004
【図３】
2011183635.tif 000005
【図４】
2011183635.tif 000006
【図５】
2011183635.tif 000007
【図６】
2011183635.tif 000008
【図７】
2011183635.tif 000009
【図８】
2011183635.tif 000010